(57)【要約】【課題】馬術競技等に使用可能で、簡素かつ低コストな構成で、障害バーの高さ調整を自在とし、かつ障害バーの支持強度を向上させる。【解決手段】内周面が支柱１の外周面の曲率に合致するように形成され、該支柱を囲んで該支柱に摺接可能に配置されると共に、軸方向に切れ目ｃを有する筒状体２と、該筒状体から走路側に向くように突設され、障害バー９を受けるための凹面３ａを有する受け部３と、切れ目ｃを挟んで該切れ目の両側で筒状体２に取り付けられ、該筒状体に固着される足部４ａ〜ｂ、５ａ〜ｂと、該足部によって支持されクランプ装置８を取り付ける水平板部４ｃ、５ｃとからなる一対のクランプ装置取付台４、５と、該クランプ装置取付台に設けられたクランプ装置８とからなり、筒状体２を競技ごとに対応した高さに合わせ、該クランプ装置で締め付け固定するように構成した。【選択図】図１
0003140478.tif 000002
【実用新案登録請求の範囲】
【請求項１】
走路を横切るように水平方向に配置された障害バーを走路の両側に立設された支柱で高さ調節可能に支持するようにした障害バー支持構造において、
内周面が前記支柱の外周面の曲率に合致するように形成され、該支柱を囲んで該支柱に摺接可能に配置されると共に、軸方向に切れ目を有する筒状体と、
該筒状体から走路側に向くように突設され、前記障害バーを受けるための凹面を有する受け部と、
前記切れ目を挟んで該切れ目の両側で該筒状体に取り付けられ、該筒状体に固着される足部と、該足部によって支持されクランプ装置を取り付ける水平面部とからなる一対のクランプ装置取付台と、
該クランプ装置取付台に設けられたクランプ装置と、からなり、
該筒状体を競技ごとに対応した高さに合わせ、該クランプ装置で該支柱に締め付け固定するように構成したことを特徴とする障害バー支持構造。
【請求項２】
前記クランプ装置が、一方の水平面部に回動可能に軸支されたアームと、他方の水平面部に向う方向に配置され一端に留め金が形成され他端が該アームに装着された作動軸と、他方の水平板部に形成され、該留め金に係止して該筒状体を拡径する第１の係止片と、該留め金に係止して該筒状体を縮径する第２の係止片と、からなることを特徴とする請求項１に記載の障害バー支持構造。
【請求項３】
前記作動軸を前記アームに対して他方の水平面部に接近又は離隔可能に装着したことを特徴とする請求項２に記載の障害バー支持構造。
【請求項４】
前記一対の水平面部がなす角度を１８０°より小さい鈍角をなすように形成したことにより、留め金で筒状体を支柱に締め付け固定したときに、取付台の足部を介して支柱の接線方向に向う締付力を発生させるように構成したことを特徴とする請求項１に記載の障害バー支持構造。
【請求項５】
前記受け部及びクランプ装置取付台の足部を筒状体に対して断続的にスポット溶接してなることを特徴とする請求項１に記載の障害バー支持構造。
【考案の詳細な説明】
【技術分野】
【０００１】
本考案は、馬術競技等で走路に跨って配置される競技用障害バーの支持構造に係り、簡易かつ低コストな構成で、障害バーの高さを調整自在であると共に、障害バーの支持強度を向上させた支持構造に関する。
【背景技術】
【０００２】
従来、競技用障害バーは、走路の両側に支柱が立設され、該支柱に水平方向に障害バーが架設される。そして、通常、競技の種類に対応して障害バーの高さを調節可能に構成されている。
【０００３】
特許文献１（特開２００４−１９４７３８号公報）には、陸上競技における障害物競走用の障害物の構成が開示されている。この障害物の構成は、障害物の上端高さを形成する水平バーが、走路の両側に設けられた伸縮可能な支柱の上端間に架設され、該支柱の伸縮によって障害物の上端高さを調節可能に構成されている。該支柱の伸縮機構は、固定支持筒の上端に昇降筒が上下に摺接可能に嵌合され、固定支持筒の内部で固定支持筒に固定されたナットにボルト軸を螺合させ、該ボルト軸の上端を昇降筒に接続し、ボルト軸を外部から挿入される操作桿により傘歯車を介して回転させることにより、昇降筒を上下させるようにしている。
【０００４】
一方、馬術競技等に用いられる障害物は、走路を横切って水平に架設される障害バーに競技馬が触れても怪我をしないように、競技馬の脚が触れると、障害バーが支柱から外れて落下するようになっている。
【０００５】
【特許文献１】特開２００４−１９４７３８号公報
【考案の開示】
【考案が解決しようとする課題】
【０００６】
特許文献１に開示された障害物の水平バーの昇降機構は、固定支持筒内に配設されるボルト軸や、昇降筒に挿入される操作桿の回転力を該ボルト軸に伝達する傘歯車等の伝達機構を要し、複雑な構成となっている。
しかも、水平バーに競技者が触れても障害バーが落下しないように構成されているため、馬術競技には使用できない。
【０００７】
本考案は、かかる従来技術の課題に鑑み、馬術競技等に使用できるように、障害バーに競技馬の脚が触れると、障害バーが落下するように構成されると共に、簡素かつ低コストな構成で、障害バーの高さ調整を自在とし、かつ障害バーの支持強度を向上させた支持構造を実現することを目的とする。
【課題を解決するための手段】
【０００８】
かかる目的を達成するため、本考案の障害バー支持構造は、
走路を横切るように水平方向に配置された障害バーを走路の両側に立設された支柱で高さ調節可能に支持するようにした障害バー支持構造において、
内周面が前記支柱の外周面の曲率に合致するように形成され、該支柱を囲んで該支柱に摺接可能に配置されると共に、軸方向に切れ目を有する筒状体と、
該筒状体から走路側に向くように突設され、前記障害バーを受けるための凹面を有する受け部と、
前記切れ目を挟んで該切れ目の両側で該筒状体に取り付けられ、該筒状体に固着される足部と、該足部によって支持されクランプ装置を取り付ける水平面部とからなる一対のクランプ装置取付台と、
該クランプ装置取付台に設けられたクランプ装置、とからなり、
該筒状体を競技ごとに対応した高さに合わせ、該クランプ装置で該支柱に締め付け固定するように構成したものである。
【０００９】
本考案の障害バー支持構造は、内周面が走路の両側に立設された支柱の外周面の曲率に合致するように形成された筒状体を該支柱に摺動可能に嵌合し、各競技の種類に対応した高さに位置させた後で、クランプ装置で支柱に締め付け固定するようにしたものである。該筒状体には軸方向に切れ目があるので、拡径又は縮径が可能であり、筒状体を支柱の各競技に対応した高さに合わせた後、その位置でクランプ装置により締め付け固定することができる。
【００１０】
該筒状体には、障害バーを受けるための凹面を有する受け部が走路側に向くように突設されている。該受け部は、該凹面で障害バーの先端部を受けるようにしているため、障害バーに競技者又は競技馬が触れなければ、障害バーは該受け部で支持された状態で保持される。そして、障害バーは該凹面に載置されているだけであるので、競技中に競技馬等の脚が触れれば、該凹面から障害バーが落下する。従って、競技馬等が障害バーに脚を取られ転倒することはない。
【００１１】
筒状体の内周面は支柱の外周面の曲率に合わせた形状をしているので、クランプ装置の締付力により互いに密着し、接触面に大きな摩擦力が働く。これによって、筒状体を支柱に強固に固定することができ、障害バーの支持強度を向上させることができる。
【００１２】
本考案の障害バー支持構造において、前記クランプ装置を、一方の水平板部に回動可能に軸支されたアームと、他方の水平板部に向う方向に配置され一端に留め金が形成され他端が該アームに装着された作動軸と、他方の水平板部に形成され、該留め金に係止して筒状体を拡径させる第１の係止片と、該留め金に係止して筒状体を縮径させる第２の係止片とで構成するとよい。
【００１３】
かかる構成とすれば、筒状体の高さ位置を変える場合には、留め金を第１の係止片に係止させて筒状体を拡径しながら、筒状体を支柱に対して摺動させることで、筒状体の高さ変更が容易になる。また、筒状体を設定された高さで支柱に固定する場合には、留め金を第２の係止片に係止させて筒状体を縮径させることによって、筒状体を締め付け固定する。
このように、第１の係止片又は第２の係止片に留め金を係止させることで、筒状体を拡径又は縮径自在とすることができるので、筒状体の移動又は締め付け固定が容易になる。
【００１４】
また、前記構成に加えて、前記作動軸を前記アームに対して他方の水平板部に接近又は離隔可能に装着するようにすれば、留め金による筒状体の拡径又は縮径の度合いを可変とすることができる。これによって、支柱に対する筒状体の締付力を調整することができる。
【００１５】
また、本考案の障害バー支持構造において、一対の水平面部がなす角度を１８０°より小さい鈍角をなすように形成したことにより、留め金で筒状体を支柱に締め付け固定したときに、取付台の足部を介して支柱の接線方向に向う締付力を発生させるようにするとよい。これによって、筒状体には支柱表面の接線方向以外の締付力しか付加されず、それ以外の余分な分力が発生しないので、支柱に対する締付力を最大限に発揮させることができる。
【００１６】
また、本考案の障害バー支持構造において、受け部及びクランプ装置取付台の足部を筒状体に対して断続的にスポット溶接して接合するようにするとよい。これによって、溶接時の筒状体の熱歪を軽減できると共に、筒状体と受け部又は足部の接合部で筒状体の拡径又は縮径等の変形を許容できるようになり、そのため、筒状体の拡径又は縮径が容易になる。
【考案の効果】
【００１７】
本考案によれば、走路を横切るように水平方向に配置された障害バーを走路の両側に立設された支柱で高さ調節可能に支持するようにした障害バー支持構造において、内周面が支柱の外周面の曲率に合致するように形成され、該支柱を囲んで該支柱に摺接可能に配置されると共に、軸方向に切れ目を有する筒状体と、該筒状体から走路側に向くように突設され、前記障害バーを受けるための凹面を有する受け部と、前記切れ目を挟んで該切れ目の両側で該筒状体に取り付けられ、該筒状体に固着される足部と、該足部によって支持されクランプ装置を取り付ける水平面部とからなる一対のクランプ装置取付台と、該クランプ装置取付台に設けられたクランプ装置、とからなり、筒状体を競技ごとに対応した高さに合わせ、該クランプ装置で締め付け固定するように構成したことにより、簡素かつ低コストな構成で、高さ調整が容易であると共に、支持強度を向上させた障害バー支持構造を実現できると共に、競技者又は競技馬が触れると、障害バーが落下する構成となっているので、馬術競技等にも適用可能である。
【００１８】
即ち、筒状体には軸方向に切れ目があるので、拡径又は縮径が可能であり、これによって筒状体の高さ位置調整が容易であると共に、支柱への締付力を調節することができる。また、筒状体の内周面を支柱の外周面の曲率に合致するように形成しているので、筒状体を支柱に締付け固定する際に接合面の摩擦力を増大できて、大きな締付力を発生させることができる。
【考案を実施するための最良の形態】
【００１９】
以下、本考案を図に示した実施形態を用いて詳細に説明する。但し、この実施形態に記載されている構成部品の寸法、材質、形状、その相対配置などは特に特定的な記載がない限り、この考案の範囲をそれのみに限定する趣旨ではない。
【００２０】
（実施形態１）
本考案の第１実施形態を図１〜図６に基づいて説明する。図１において、断面が円形をなす円筒形で鋼製の支柱１、１が走路の両側に立設される。支柱１の外周面１ａには、鋼製又はステンレス鋼製で薄板状の筒状体２が遊嵌されている。筒状体２がステンレス製の場合、錆びにくい性質があるが、曲げ加工に対してスプリングバックが大きいので、曲げ精度が良くない点がある。
【００２１】
筒状体２の断面は円形をなし、筒状体２の内周面２ａの内径は、外力が付与されていない状態では、支柱１の外径と略同一の寸法で形成されている。筒状体２の外周面には走路側に向く位置に、筒状体２と同一材質で製作された受け部３が接合されている。受け部３は、鋼板又はステンレス鋼板を曲げて凹面３ａを形成してなるもので、凹面３ａが上方を向くように水平方向に位置した状態で、筒状体２に接合されている。なお、受け部３は、スポット溶接ｗで、溶接点が間隔を置いて断続的に配置されている。
【００２２】
受け部３が取り付けられた位置の反対側には、軸方向に直線状の切れ目ｃが設けられている。該切れ目ｃを挟んで一対のクランプ装置取付台４及び５が接合されている。図２に、取付台４及び５にクランプ装置８が取り付けられた状態を示し、図３に、取付台４にクランプ装置本体６が取り付けられた状態を示す。
【００２３】
図１及び図２に示すように、取付台４は、筒状体２の外周面に接合される一対の足部４ａ及び４ｂと、水平面をなす水平面部４ｃとからなり、コ字状に形成されている。また、取付台５は、同様に、筒状体２の外周面に接合される一対の足部５ａ及び５ｂと、水平面をなす水平面部５ｃとからなり、断面がコ字状に形成されている。
【００２４】
次に、図３に基づいて、クランプ装置本体６の構成を説明する。図３において、取付台４の水平面部４ｃに接合される接合板６０には、接合板６０を取付台４の水平面部４ｃに取り付けるための２個のボルト孔６０ａが穿設されている。また、接合板６０には一対のブラケット６０ｂが直角方向に突設されている。ブラケット６０ｂにはコ字形状のアーム６１が支軸６２を中心に回動可能（正逆方向に回転可能）に軸支されている。
【００２５】
アーム６１間には、円筒状のスペーサ６３が回転軸６４を中心に回動可能にアーム６１に取り付けられている。作動軸６５の一端にはオネジ部６５ａが形成され、スペーサ６３には、オネジ部６５ａが螺合するボルト孔６３ａが穿設されている。作動軸６５の他端には、三角形状のリングを形成する留め金６６が一体に形成されている。かかる構成において、アーム６１が矢印ｄ又はｅ方向に回動することにより、留め金６６が矢印ａ又はｂ方向に移動するように構成されている。クランプ装置本体６は、ボルト孔６０ａを介し、ボルト６７によって取付台４の水平面部４ｃに穿設されたボルト孔４ｄに取り付けられる。
【００２６】
図４には、取付台５に取り付けられる係止板７が図示されている。図４において、係止板７は、水平形状の基板７１に第１の係止片７２と第２の係止片７３とが一体に形成されている。第１の係止片７２は、Ｌ字形状の断面をなして基板７１から直角方向に突設されている。第２の係止片７３は、円弧をなすかぎ形状の断面をなして、基板７１からクランプ装置本体６の方向に向けられている。基板７１には3個のボルト孔７１ａが穿設されている。そして、係止板７は、ボルト孔７１ａを介して、取付台５の水平面部５ｃに穿設されたボルト孔５ｄにボルト７４によって取り付けられる。
【００２７】
かかる構成の本実施形態において、筒状体２を支柱１に固定する手順を説明する。
まず、作動軸６５を回転して、オネジ部６５ａがスペーサ６３のボルト孔６３ａに螺入する螺入位置を調整することによって、クランプ装置本体６が係止板７にクランプした時に支柱１に対して適正の締付力が付与されるようにする。
【００２８】
次に、アーム６１を矢印ｄ方向に回転させて、留め金６６を矢印ａ方向に移動させ、留め金６６を第１の係止片７２と第２の係止片７３とで囲まれた係止空間ｓに進入させる。次に、留め金６６を係止空間ｓに進入させた状態で、アーム６１を矢印ｄ方向に回転させる。これによって、留め金６６の一部を構成する係止バー６６ａが第１の係止片７２の内側面に圧接し、第１の係止片７２を矢印ａ方向に押して筒状体２を拡径する。
【００２９】
この状態で、筒状体２が支柱１に沿って摺動自在になるので、筒状体２を設定された高さに移動させる。そして、筒状体２を設定高さに位置させた時に、アーム６１を矢印ｅ方向に回転させる。この操作で、留め金６６の係止バー６６ａが第２の係止片７３の内側を矢印ｂ方向に圧接し、第２の係止片７３を矢印ｂ方向に引き付ける。これによって、切れ目ｃが狭まり、筒状体２が支柱１の外周面を締め付けることにより、筒状体２が支柱１の外周面に固定される。
【００３０】
図６は、本実施形態の支持構造を備えた障害バーを馬術競技に適用した場合を図示したものである。図６において、筒状体２の受け部３の凹面３ａに障害バー９が載置されている。競技馬ｈの脚ｌが障害バー９に触れると、障害バー９が落下して、競技馬ｈ及び騎乗者ｎが怪我をしないようになっている。
【００３１】
このように、本実施形態によれば、受け部３と取付台４及び５を有する簡素且つ低コストな構成の筒状体２を用いることによって、筒状体２を支柱１に対して設定された高さに締め付け固定することができる。また、留め金６６の係止バー６６ａを係止板７の第１の係止片７２と第２の係止片７３との間の係止空間ｓに進入させ、筒状体２を拡径する場合は、アーム６１を矢印ｄ方向に回転させて係止バー６６ａで第１の係止片７２を押すことにより筒状体２を拡径させ、筒状体２を縮径させる場合には、アーム６１を矢印ｅ方向に回転させて係止バー６６ａで第２の係止片７３を押すことにより、筒状体２を縮径させることができるので、筒状体２の支柱１に対する摺動又は締め付け固定を容易に行なうことができる。
【００３２】
また、筒状体２の内周面２ａと支柱１の外周面１ａとは、共に円形断面をなし、それらの寸法も略同一径に形成されているので、クランプ装置８の締付力により両者の接合面に大きな摩擦力を発生させることができる。これによって、筒状体２による障害バー９の支持強度を向上させることができる。また、作動軸６５を回動させることによって、スペーサ６３に対する作動軸６５の相対位置を可変とすることができるので、これによって、支柱１に対する筒状体２の締付力を調整することができる。
【００３３】
また、筒状体２に対して受け部３及び取付台４及び５をスポット溶接ｗして、断続的にな溶接ポイントを形成しているので、受け部３及び取付台４及び５の溶接時に筒状体２に熱歪を起こさない。また、これによって、受け部３又は取付台４、５の剛性に拘束されずに、筒状体２の拡径又は縮径を自在に行なうことができる。
【００３４】
図５は、支柱１の上方から視た筒状体２の平面図である。図５において、取付台４及び５の水平面部４ｃ及び５ｃのなす角度が互いに平行ではなく、１８０°より小さい鈍角αをなしている。即ち、取付台４の水平面部４ｃの角度を、取付台４の足部４ｂの筒状体２に対する接合点Ｐ１の接線ｔ１の方向と一致させている。また、取付台５の水平面部５ｃの角度を、取付台５の足部５ｂの筒状体２に対する接合点Ｐ２の接線ｔ２の方向と一致させている。
【００３５】
これによって、クランプ装置８によって取付台４に付加される締付力ｆ１が点Ｐ１の接線方向に負荷されると共に、取付台５の足部５ｂの筒状体２に対する接合点Ｐ２では、クランプ装置８による締付力ｆ２が点Ｐ２の接線方向に負荷される。そのため、締付力ｆ１及びｆ２には、接線方向以外の余分な分力が発生しないので、支柱１に対して最大限の締付力を付与することができる。
【００３６】
（実施形態２）
次に、本考案の第２実施形態を図７に基づいて説明する。図７は、前記第１実施形態の図３に相当する図で、クランプ装置本体６を示す斜視図である。図７において、作動軸６５の一端部にオネジ部６５ａが形成され、オネジ部６５ａにスペーサ６３を挟んで２個のナット８１及び８２が螺合している。ナット８２がオネジ部６５ａの先端に固着され回転しないようになっている。手前側に螺合したナット８１は、回動可能に螺合して、オネジ部６５ａに対する位置を調整可能になっている。
【００３７】
なお、スペーサ６３に穿設された孔６３ａはメネジ部を有さない通し孔であり、オネジ部６５ａとは螺合しない。その他の構成は前記第１実施形態と同一である。
【００３８】
本実施形態によれば、ナット８１を正逆に回転させ、ナット８１のオネジ部６５ａに対する位置を調整することによって、スペーサ６３に対する作動軸６５の矢印ａ又はｂ方向の相対位置を調節することができる。従って、ナット８１のオネジ部６５ａに対する位置を調整することによって、支柱１に対する筒状体２の締付力を調整することができる。
このため、前記第１実施形態のように、作動軸６５を逐一回転させる必要がないので、操作が容易になるという利点がある。
【産業上の利用可能性】
【００３９】
本考案によれば、馬術競技等に特に好適で、簡素且つ低コストな構成で障害バーの高さ調整が自在な障害バーの支持構造を実現でき、かつ障害バーに触れると障害バーが落下するように支持しているので、競技馬及び騎乗者に怪我をさせるおそれがない。
【図面の簡単な説明】
【００４０】
【図１】本考案の第１実施形態に係る障害バー支持構造の斜視図である。
【図２】前記第１実施形態に係る筒状体２の斜視図である。
【図３】前記第１実施形態に係るクランプ装置本体６の斜視図である。
【図４】前記第１実施形態に係る係止板７の斜視図である。
【図５】前記第１実施形態に係る障害バー支持構造をクランプ装置８を省略して上方から視た平面図である。
【図６】前記第１実施形態に係る障害バー支持構造を馬術競技に適用した場合の説明図である。
【図７】本考案の第２実施形態に係るクランプ装置本体６の斜視図である。
【符号の説明】
【００４１】
１        支柱
１ａ      支柱外周面
２        筒状体
２ａ      筒状体内周面
３        受け部
３ａ      受け部凹面
４、５    クランプ装置取付台  
４ａ、４ｂ、５ａ、５ｂ    足部
４ｃ、４ｃ    水平面部
６        クランプ装置本体
７        係止板
８        クランプ装置
９        障害バー
６１      アーム
６５      作動軸
６５ａ    オネジ部
６６      留め金
６６ａ    係止バー
７２      第１の係止片
７３      第２の係止片
８１、８２    ナット
ｃ        切れ目
ｔ１、ｔ２    接線
ｗ        スポット溶接部
【図１】
0003140478.tif 000003
【図２】
0003140478.tif 000004
【図３】
0003140478.tif 000005
【図４】
0003140478.tif 000006
【図５】
0003140478.tif 000007
【図６】
0003140478.tif 000008
【図７】
0003140478.tif 000009